(57)【要約】    【目的】  内線電話網を容易に構築が可能な電話システムを提供する。    【構成】  内線閉番号が割り当てられている電話機からの呼出に応じて、通信端末装置が、呼出先の電話機に対応した内線閉番号及びこの電話機が接続されている通信端末装置に割り当てられている加入者電話番号を夫々示す呼出要求パケットを、公衆ネットワーク上に設置されているサーバに対して行う。サーバは、かかる呼出要求パケットを受信すると、この呼出要求パケットにて示される加入者電話番号に対応したアドレスを送信先として、呼出先の電話機に対応した内線閉番号を示す呼出指令パケットを公衆ネットワーク上に送出する。かかる呼出指令パケットを受信した通信端末装置は、この呼出指令パケットにて示される内線閉番号が割り当てられている電話機に対して内線呼出を行う。かかる電話システムによれば、公衆の通信ネットワークを利用することにより、ＶｏＩＰ技術を採用した内線電話網を容易に構築することが可能になる。【選択図】  図１
2005252768.tif 000002
【特許請求の範囲】
【請求項１】
電話回線に接続され、前記電話回線により形成される送話路及び受話路を介して電話通信機能及び音声録音再生機能を奏する電話装置であって、
前記受話路のみからＰＢ信号を取り込み、前記ＰＢ信号の内容に応じて前記電話通信機能及び音声録音再生機能を制御する制御手段と、
前記送話路及び受話路の双方からＰＢ信号を取り込み、前記双方からのＰＢ信号を同時に検出した場合に、前記制御手段によるＰＢ信号の取り込みを停止せしめる停止手段と、
を含むことを特徴とする電話装置。
【請求項２】
前記制御手段は、前記ＰＢ信号を間欠的に取り込む手段であることを特徴とする電話装置。
【請求項３】
前記音声録音再生機能は、留守録音再生機能であることを特徴とする請求項１または２記載の電話装置。
【請求項４】
前記音声録音再生機能は、ボイスメール受信再生機能であることを特徴とする請求項１または２記載の電話装置。
【発明の詳細な説明】
【技術分野】
【０００１】
本発明は、留守番電話機能あるいはボイスメール等の音声録音再生機能を備える電話機または構内交換機（ＰＢＸ）等の電話装置に関する。
【背景技術】
【０００２】
電話機や構内電子交換機（ＰＢＸ）等の電話装置ではボイスメールなどの録音及び録音再生機能を有するものがある。かかる電話装置において、録音及び録音再生機能を例えば電話回線を介した外部の電話機から動作させるために、その指示信号としてプッシュボタン信号（以下、ＰＢ信号と称する）が用いられるのが通常である。そのためにかかる電話装置では、ＰＢ信号を受信するためのＰＢ信号受信回路を備えている。ＰＢ信号は、０乃至９からなるダイヤル番号及び「＊」等の特殊記号の各々に対応して、２つの周波数が割り当てられている。例えば、０のダイヤル番号については、９４１Ｈｚ及び１４７７Ｈｚの周波数が対応し、０の番号が押釦されたときにこの２つの周波数の信号が同時に発音されるようになっている。ＰＢ信号受信回路は、これら２つの周波数を検出することでＰＢ信号の検出や対応する符号の識別を行っている。
【０００３】
図１を参照すると、利用者が利用する電話機１が電話回線を介してＰＢＸ２に繋がっている様子が示されている。ＰＢＸ２は、そのボイスメール３の内容の再生指令をＰＢ信号により受け付けるためにＰＢ信号受信回路を備えている。電話機１からの再生指令に応じて、ボイスメール３の内容が再生されたとき再生内容はＰＢＸ２の送話として電話機１に伝送されるが、さらに、電話機１において跳ね返りにより送話の戻りが発生し、これがＰＢＸ２において受話として受信される。ここで、当該ボイスメールの内容の音声に、ＰＢ信号の周波数成分が含まれていたり、無意味なＰＢ信号が録音されていたりすることがある。従って、再生内容の音声にＰＢ信号が含まれていた場合には、このＰＢ信号をＰＢＸ２のＰＢ信号受信回路が誤検出して動作に不具合を発生する虞がある。
【０００４】
そのため、従来の電話装置おいては、音声等の録音内容を再生しているときは、ＰＢ信号受信回路を停止し、誤検出の可能性のないときにのみＰＢ信号受信回路を動作させることでかかる誤検出を回避しているものがある。
【発明の開示】
【発明が解決しようとする課題】
【０００５】
しかし、音声等の録音再生とＰＢ信号受信機能とを同時に動作せしめることが求められる電話装置もある。かかる電話装置においては、録音時にＰＢ信号の周波数成分のみを除去してから録音することで、再生時の誤検出を防いでいる。そのため、高性能なフィルタ回路を録音音声入力部に持たせる必要がありコストの面で不利であった。
【０００６】
本発明の目的は、誤ったＰＢ信号の検出を回避する構成を低コストで実現することである。
【課題を解決するための手段】
【０００７】
本発明による電話装置は、電話回線に接続され、該電話回線により形成される送話路及び受話路を介して電話通信機能及び音声録音再生機能を奏する電話装置であり、該受話路からＰＢ信号を取り込み、該ＰＢ信号の内容に応じて該電話通信機能及び音声録音再生機能を制御する制御手段と、該送話路及び受話路の双方からＰＢ信号を取り込み、該双方からのＰＢ信号を同時に検出した場合に、該制御手段によるＰＢ信号の取り込みを停止せしめる停止手段とを含むことを特徴とする。
【実施例】
【０００８】
本発明の実施例について添付の図面を参照して詳細に説明する。
【０００９】
図２は、本発明の実施例を示し、本発明による電話装置である留守番電話機３０の内部構成を示している。留守番電話機３０の構成を参照すると、相手側電話機（図示せず）との接続を行う電話回線１０が電話回線駆動回路３１と着信検出回路３４とに接続されている。電話回線駆動回路３１の受話路６１は、スピーカ４１および留守録音再生回路３３の入力に接続されるとともに、ＰＢ信号検出回路５１の入力に接続されている。また、電話回線駆動回路３１の送話路６２は、マイク４４の出力、留守応答回路３２の出力および留守録音再生回路３３の出力に接続されているとともに、補助ＰＢ信号検出回路５２の入力に接続されている。着信検出回路３５の出力は、制御回路３５に接続されている。また、制御回路３５は、電話回線駆動回路３１、留守応答回路３２および留守録音再生回路３３に接続されそれぞれに適切なタイミングで制御信号を入出力する。
【００１０】
ＰＢ信号検出回路５１の出力と補助ＰＢ信号検出回路５２の出力がＡＮＤ回路５３の入力に接続されて、これら２つの検出回路５１および５２からのＰＢ信号の検出信号がＡＮＤ回路５３に送出されるようになっている。ＡＮＤ回路５３の出力は制御回路３５に含まれるＳＷ部５４に接続されて、その開閉状態を閉状態すなわちＯＮ状態又は開状態すなわちＯＦＦ状態にするＯＮ／ＯＦＦ信号が送出されるようになっている。
【００１１】
電話回線駆動回路３１は、制御回路３５の制御の下に電話回線１０を介して相手側電話機と音声信号の送受信を行う機能を有し、ＤＰ信号発生回路、極性反転検出回路、局線の２線を４線の受話路６１及び送話路６２に変換するハイブリッド回路および音声信号を増幅する音声増幅回路を含む。留守応答回路３２は、制御回路３６の制御の下に電話回線１０に留守応答信号を送出する機能を有する。留守録音再生回路３４は、制御回路３６の制御の下に留守応答時に電話回線１０より送られてきた音声信号を録音し、後に釦操作またはＰＢ信号等の再生指令に応じて当該録音を再生する機能を有する。着信検出回路３５は、電話回線１０より送られてくる着信信号を検出し、制御回路３６に通知する機能を有する。制御回路３６は、上記各回路をそれぞれを適切なタイミングで制御する機能を有し、マイクロコンピュータ上で動作するソフトウエアにより実現し得る。
【００１２】
ＰＢ信号検出回路５１は、電話回線１０からのＰＢ信号を受話路６１を介して検出してダイヤル番号又は特殊記号を識別し、その結果をＰＢ識別信号として制御回路３６に通知する機能と、ＰＢ信号を受話路６１において検出したときに検出信号をＡＮＤ回路５３に送出する機能とを有する。補助ＰＢ信号検出回路５２は、ＰＢ信号を送話路６２において検出したときに検出信号をＡＮＤ回路５３に送出する機能を有する。ＡＮＤ回路５３は、ＰＢ信号検出回路５１からの検出信号と、補助ＰＢ信号検出回路３２からの検出信号との論理積をとり、当該論理積が正論理のときにＯＦＦ信号をＳＷ部５４を送出する機能を有する。制御回路３５に含まれるＳＷ部５４は、このＯＦＦ信号に応じてその開閉状態を開状態すなわちＯＦＦ状態とすることで、ＰＢ信号検出回路５１から制御回路３５へのＰＢ識別信号の伝送を遮断する機能を有する。すなわち、ＳＷ部５４がＯＦＦ状態にあるとき、ＰＢ信号の取り込みが抑止され当該ＰＢ信号が破棄される。一方、ＡＮＤ回路５３からＯＮ信号が送出されＳＷ部５４がＯＮ状態にあるときは、ＰＢ信号が取り込まれると共に、その内容が読み取られて制御回路３５の所定機能が実行される。
【００１３】
なお、留守番電話機３０自体の操作として、すなわち外部からＰＢ信号による再生指令によらず留守録を再生する事態が想定されるが、かかる場合にはＰＢ信号検出回路５１からの制御回路３５へのＰＢ識別信号を当然に無視することで誤検出の問題は生じない。
【００１４】
図２に示される構成における動作について説明すると、電話回線１０から着信信号が送られてくると、着信検出回路３４がこれを検出し、着信検出信号を制御回路３５に送出する。制御回路３５は、この着信検出信号によって着信状態であることを認識すると、電話回線駆動回路３１を制御して、電話回線１０とを閉結状態とする。ここでもし操作者によるオフフック動作がないとすると、制御回路３５は、留守応答回路１２を駆動する。これにより、留守応答回路１２からの応答メッセージが電話回線駆動回路３１を介して電話回線１０に送出される。
【００１５】
そして、この応答メッセージ送出中に、相手側電話機からＰＢ信号が送られてくると、このＰＢ信号は電話回線駆動回路３１を介してＰＢ信号検出回路５１に与えられ、ここで識別された識別結果をＰＢ識別信号として制御回路３５に送出する。ここで、当該ＰＢ識別信号が留守録音の再生指令である場合には、制御回路３５は留守録音再生回路３３の再生動作を起動する。留守録音再生回路３３からの再生音は送話路６２を介して電話回線駆動回路３１に送出される。これにより、相手側電話機では留守録音を聴取することができる。
【００１６】
留守録音の再生音にＰＢ信号の一部またはその周波数成分に一致する信号が含まれていた場合には、相手側電話機からその跳ね返り信号が再び電話回線１０を介して電話回線駆動回路３１の受話路６１に発生する。この誤ったＰＢ信号は受話路６１を通してＰＢ信号検出回路５１に入力される。しかし、このＰＢ信号は、相手電話機からの適正なＰＢ信号ではなく、電話装置３０自体が発生したＰＢ信号である。
【００１７】
一方、補助ＰＢ信号検出回路５２は、従前から留守録音再生回路３３の再生動作によるＰＢ信号が入力されている。従って、ＰＢ信号検出回路５１および補助ＰＢ信号検出回路５２の双方がＰＢ信号を検出したことを示す検出信号をＡＮＤ回路５３に出力する。ＡＮＤ回路５３は、ＯＦＦ信号をＳＷ部５４に送出する。ＳＷ部５４は、ＰＢ信号検出回路５１と制御回路３５との間を開状態すなわちＯＦＦ状態にすることでＰＢ信号の取り込みを抑止し、かかる誤ったＰＢ信号により制御回路３５が誤動作することを回避する。
【００１８】
図３は、本発明による実施例における電話装置のＰＢ信号の検出信号の変化の様子を示している。ここで、時間軸上での、ＰＢ信号検出回路５１からの検出信号と、補助ＰＢ信号検出回路５２からの検出信号信号と、ＡＮＤ回路５３からのＯＦＦ信号との対応する変化の様子を示している。ＰＢ信号検出回路５１におけるＰＢ信号の検出は、例えば１０ｍＳ毎に検出する如く定期的に行い、２回連続して検知した場合に検出信号を出力するようにしても良い。これにより検出の信頼性を高め得る。
【００１９】
本図から明らかなように、ＯＦＦ信号は、ＰＢ信号検出回路５１の検出信号と補助ＰＢ信号検出回路５２の検出信号の双方の信号が共にＨの場合にＯＦＦ信号を発生している。このＯＦＦ信号に応じて、ＳＷ部５４がＯＦＦ状態なることで、ＰＢ信号検出回路５１からのＰＢ信号の取り込みが抑止される。これにより、制御回路３５は、かかる誤ったＰＢ信号よる動作を回避する。
【００２０】
図４は、本発明による電話装置の変形例の内部構成を示している。該電話装置としての留守番電話機３０は、図２に示された構成とほぼ同様の構成を有する。図４は、図２とは異なる部分についてのみ示されている。ここで、ＰＢ信号検出回路５１と補助ＰＢ信号検出回路５２の両方がＰＢ信号の検出信号及びＰＢ識別信号を制御回路３６に送出している。
【００２１】
ＰＢ信号検出回路５１は、電話回線１０からのＰＢ信号を受話路６１を介して検出してダイヤル番号又は特殊記号を識別し、その結果をＰＢ識別信号として制御回路３６に通知する機能と、ＰＢ信号を受話路６１において検出したときに検出信号を制御回路３６に送出する機能を有する。補助ＰＢ信号検出回路５２は、ＰＢ信号を送話路６２を介して検出してダイヤル番号又は特殊記号を識別し、その結果をＰＢ識別信号として制御回路３６に通知する機能と、ＰＢ信号を送話路６２において検出したときに検出信号を制御回路３６に送出する機能を有する。
【００２２】
制御回路３６は、ＰＢ信号検出回路５１から検出信号及びＰＢ識別信号を受信してＰＢ信号を読み取るＰＢ信号読取部５５と、補助ＰＢ信号検出回路５２から検出信号及びＰＢ識別信号を受信してＰＢ信号を読み取る補助ＰＢ信号読取部５６とをさら含む。この構成により、制御回路３６は、ＰＢ信号検出回路５１からの検出信号に応じて，補助ＰＢ信号検出回路５２からの検出信号の存在を確認し、もし両方に検出信号があれば、そのタイミングで、ＰＢ信号読取部５５により読み取られるＰＢ識別信号の内容と、補助ＰＢ信号読取部５６により読み取られるＰＢ識別信号の内容とを比較する。もし両者が同じ内容（例えば同じ数値）ならば戻りによる誤ったＰＢ信号検出であると判断して、このＰＢ信号の読み取りをキャンセルする。以上の動作は、制御回路３６におけるソフトウェアにより実現され得ることから、より低コストでＰＢ信号誤検出を回避することができる。
【００２３】
以上の実施例から明らかなように、本発明による電話装置によれば、電話回線により形成される送話路及び受話路の双方にＰＢ信号検出手段を設けるだけで、かかるＰＢ信号の取り込みを抑止する構成が与えられる。これにより、誤ったＰＢ信号の検出を回避する構成を低コストで実現することができる。
【産業上の利用可能性】
【００２４】
以上の実施例においては、留守録音再生機能を有する電話機について説明されたが、本発明による電話装置は、電話機、ファクシミリ電話機及びＰＢＸ等の電話装置に適用され得るものであり、留守録音再生機能のみならず、ＰＢ信号により制御されるボイスメール機能を有する電話装置にも適用され得る。
【００２５】
本発明による電話機は、さらに、ＰＢ信号に応じた制御動作が求められることでＰＢ信号検出回路を備える電話装置に広く適用可能である。
【図面の簡単な説明】
【００２６】
【図１】従来の問題を説明する説明図である。
【図２】本発明による実施例における電話装置の内部構成を示しているブロック図である。
【図３】本発明による実施例における電話装置のＰＢ信号の検出信号の変化の様子を示しているタイミングチャートである。
【図４】本発明による実施例における電話装置の変形例の内部構成を示しているブロック図である。
【符号の説明】
【００２７】
１０  電話回線
３０  留守番電話機
３１  電話回線駆動回路
３２  留守番応答回路
３３  留守番録音再生回路
３４  着信検出回路
３５  制御回路
４１  スピーカ
４２  マイク
５１  ＰＢ信号検出回路
５２  補助ＰＢ信号検出回路
５３  ＡＮＤ回路
５４  ＳＷ部
６１  受話路
６２  送話路
【図１】
2005252768.tif 000003
【図２】
2005252768.tif 000004
【図３】
2005252768.tif 000005
【図４】
2005252768.tif 000006